(57)【要約】【課題】施工作業が容易で、かつ雨水や蜂が小屋裏に浸入するのを防止できる屋根用換気ユニットを提供すること。【解決手段】屋根の野地板３１に形成した通気口３３を覆うように野地板に取り付けて小屋裏３４の換気を行う屋根用換気ユニット１０であって、箱型の本体１１を有し、本体前面に第１換気口２２を形成し、野地板に取り付けたとき通気口に連通する第２換気口２３を本体の底面２１に形成し、第１換気口に防虫金網１３を被せ、本体上面１１ａを越える高さを有する第１止水板１２を第１換気口の前方に位置するように本体底面に立設する。小屋裏の空気が野地板の通気口に連通する第２換気口を通ってユニット本体の内部空間に流入し、第１換気口から小屋裏外部へと換気される。屋根瓦３０の裏側に浸入した雨水は第１止水板に遮られるので、第１換気口から本体内部への浸入が防止でき、第１換気口に被せた防虫金網によって小屋裏に侵入する蜂を阻止できる。【選択図】図１
2011001759.tif 000002
【特許請求の範囲】
【請求項１】
屋根の野地板に形成した通気口を覆うように野地板に取り付けて小屋裏の換気を行う屋根用換気ユニットであって、
箱型の本体を有し、本体前面に第１換気口を形成し、野地板に取り付けたとき前記通気口に連通する第２換気口を本体底面に形成し、
第１換気口に防虫用スクリーンを張設し、
前記本体上面を越える高さを有する第１止水板を前記第１換気口の前方に位置するように前記本体底面に立設したことを特徴とする屋根用換気ユニット。
【請求項２】
第２止水板を前記第２換気口の前縁に沿うように前記本体底面に立設したことを特徴とする請求項１に記載の屋根用換気ユニット。
【請求項３】
前記第１止水板の上部を後上がりに傾斜して設けたことを特徴とする請求項１に記載の屋根用換気ユニット。
【請求項４】
前記本体上面の少なくとも後半部を後下がりに傾斜して設けたことを特徴とする請求項３に記載の屋根用換気ユニット。
【請求項５】
前記本体をプラスチックで成型するとともに、前記第１止水板を板金加工により成型して本体底面に固定したことを特徴とする請求項３に記載の屋根用換気ユニット。
【発明の詳細な説明】
【技術分野】
【０００１】
本発明は、屋根の野地板に形成した通気口を覆うように野地板に取り付けて小屋裏の換気を行う屋根用換気ユニットに関する。
【背景技術】
【０００２】
この種の屋根用換気ユニットの一形式として、特開２００９−５２２３１号公報に開示されている換気ユニットは、底面と、底面に立設した立面と、立面から折れ曲がって前方へ延びる上面から成り、上面の前部が前下がりに傾斜して設けられている。そして、前面と左右両側面が換気口として開放されている。
【０００３】
この換気ユニットを施工するには野地板に形成した通気口に上面が被さるように、かつ上面の前端部が屋根瓦の尻部に近接するように野地板上に配置し、釘等で底面を野地板に固定する。
【先行技術文献】
【特許文献】
【０００４】
【特許文献１】特開２００９−５２２３１号公報
【発明の概要】
【発明が解決しようとする課題】
【０００５】
この換気ユニットによれば、小屋裏の空気が通気口から換気口を通って換気される。また、屋根瓦と屋根瓦の重合部分の隙間から屋根瓦の裏側へ雨水が浸入しても、上面によって換気口から野地板の通気口を通って小屋裏へ雨水が浸入するのを防止できる。
【０００６】
しかしながら、通気口からの雨水の浸入を防止するためには、換気ユニットの上面が野地板の通気口を覆うように、かつ上面前部が屋根瓦の尻部に近接するように野地板上に固定しなければならない。
そのため、野地板の所定位置に通気口を形成する作業が不可欠となり、換気ユニットの施工作業が面倒である。
【０００７】
また、この換気ユニットでは通気口から小屋裏に蜂が浸入して巣を作るのを防止するため、通気口に防虫網を取り付ける必要があり、より一層換気ユニットの施工が面倒である。
【０００８】
本発明はかかる問題点に鑑み、施工作業が容易で、かつ雨水や蜂が小屋裏に浸入するのを防止できる屋根用換気ユニットを提供することを目的とする。
【課題を解決するための手段】
【０００９】
請求項１に記載の発明は、屋根の野地板に形成した通気口を覆うように野地板に取り付けて小屋裏の換気を行う屋根用換気ユニットであって、
箱型の本体を有し、本体前面に第１換気口を形成し、野地板に取り付けたとき前記通気口に連通する第２換気口を本体底面に形成し、
第１換気口に防虫用スクリーンを張設し、
前記本体上面を越える高さを有する第１止水板を前記第１換気口の前方に位置するように前記本体底面に立設したことを特徴とする。
【００１０】
請求項２に記載の発明は請求項１に記載の屋根用換気ユニットにおいて、第２止水板を前記第２換気口の前縁に沿うように前記本体底面に立設したことを特徴とする。
【００１１】
請求項３に記載の発明は請求項１に記載の屋根用換気ユニットにおいて、前記第１止水板の上部を後上がりに傾斜して設けたことを特徴とする。
【００１２】
請求項４に記載の発明は請求項３に記載の屋根用換気ユニットにおいて、前記本体上面の少なくとも後半部を後下がりに傾斜して設けたことを特徴とする。
【００１３】
請求項５に記載の発明は請求項３に記載の屋根用換気ユニットにおいて、前記本体をプラスチックで成型するとともに、前記第１止水板を板金加工により成型して本体底面に固定したことを特徴とする。
【発明の効果】
【００１４】
請求項１に記載の屋根用換気ユニットによれば、小屋裏の空気が野地板の通気口に連通する第２換気口を通ってユニット本体の内部空間に流入し、第１換気口から小屋裏外部へと換気される。
一方、屋根瓦の裏側に浸入した雨水は第１止水板に遮られるので、第１換気口から本体内部への浸入が防止できる。また、蜂が小屋裏に浸入するのは第１換気口に被せた防虫用スクリーンによって阻止できる。
【００１５】
請求項２に記載の換気ユニットによれば、雨水が本体内部に浸入したとしても底面を伝って雨水が第２換気口から野地板の通気口へ浸入するのが、第２止水板によって阻止できる。
【００１６】
請求項３に記載の屋根用換気ユニットによれば、第１止水板を乗り越えた雨水は第１止水板の後上がりの傾斜によって上方へ飛び跳ねるので、第１換気口からの雨水の浸入をより確実に防止できる。
【００１７】
請求項４に記載の屋根用換気ユニットによれば、第１止水板の上部で飛び跳ねてた雨水が上面後半部の後傾斜を伝って本体後方へ流下するので、本体前面の第１換気口からの浸入をより確実に防止できる。
【００１８】
請求項５に記載の屋根用換気ユニットにおいて、上部を後上がりに傾斜させた第１止水板を本体とは別に板金加工としたので、本体の成型に使用する金型の構造が簡素化され、製造コストの低減が可能となる。
【図面の簡単な説明】
【００１９】
【図１】本発明の実施例に係る屋根用換気ユニットを示す斜視図である。
【図２】同屋根用換気ユニットの分解斜視図である。
【図３】同屋根用換気ユニットの断面図である。
【図４】同屋根用換気ユニットの施工状態を示す説明図である。
【実施例】
【００２０】
以下に本発明を図面に基づき説明するに、図１、図２及び図３には本発明の一実施例に係る屋根用換気ユニット１０が示されている。当該屋根用換気ユニット１０は本体１１、第１止水板１２及び防虫用スクリーンとしてステンレス製の防虫金網１３を備えている。
【００２１】
本体１１は横長で扁平な箱形を有し、上面１１ａ、背面１１ｂ及び左右両側面１１ｃをプラスチックで一体成型したアッパケーシング２０と、アッパケーシング２０とは別体のプラスチック成型である底面２１から成り、底面２１にアッパケーシング２０を接着して箱形に形成されている。この本体１１の前面は第１換気口２２として開放されている。
【００２２】
底面２１には長手方向に延びる第２換気口２３が形成されている。この第２換気口２３の前縁に沿って第２止水板２４が底面２１に立設されている。第２止水板２４と底面２１は一体成型されている。アッパケーシング２０は第２換気口２３を覆うように底面２１に取り付けて固定されている。
【００２３】
上面１１ａの後半部１１ｄは後下がりの傾斜となるように形成されている。第１換気口２２には防虫金網１３が嵌着されている。この防虫金網１３は蜂の浸入を妨げることのできるメッシュサイズのものが用いられている。
【００２４】
第１止水板１２はガルバニュム銅板が用いられ、底面２１に立設固定され、上面１１ａを越える高さ寸法を備えている。そして、第１止水板２１の上部１２ａは後上がりの傾斜を有するように板金加工されている。
【００２５】
本実施例に係る屋根用換気ユニット１０の構造は以上の通りであって、図４にその施工状態を示す。屋根瓦３０を掛止するため野地板３１に固定した上下の瓦桟３２の間の野地板３１部分に通気口３３が形成されている。この通気口３３は屋根の小屋裏３４に連通している。屋根用換気ユニット１０はこの通気口３３に被せるようにして釘（図示略）で野地板３１に固定される。
【００２６】
屋根用換気ユニット１０を施工することにより、小屋裏３４の空気が野地板３１の通気口３３に連通する第２換気口２３を通ってユニット本体１１の内部空間に流入し、第１換気口２２から小屋裏３４の外部へと換気される。
一方、屋根瓦３０の裏側に浸入した雨水（図３の矢印参照）は第１止水板１２に遮られるので、第１換気口２２から本体１１内部への浸入が防止できる。また、蜂が小屋裏３４に浸入するのは第１換気口２２に被せた防虫金網１３によって阻止できる。
【００２７】
また、雨水が本体１１内部に浸入したとしても底面２１を伝って雨水が第２換気口２３から野地板３１の通気口３３へ浸入するのが、第２止水板２４によって阻止できる。
【００２８】
さらにまた、雨水が第１止水板１２を乗り越えたとしても第１止水板１２の後上がりに傾斜した上部１２ａによって上方へ飛び跳ね、上面１１ａの後半部１１ｄの後傾斜を伝って本体１１後方へ流下するので、本体１１前面の第１換気口２２からの浸入を確実に防止できる。
【００２９】
本実施例では、上部１２ａを後上がりに傾斜させた第１止水板１２を本体１１とは別に板金加工としたので、本体１１の成型に使用する金型の構造が簡素化され、製造コストの低減が可能となる。
【００３０】
なお、本実施例では防虫用スクリーンとして金網を用いたが、これに代えてパンチングメタルを用いたり、あるいはアッパケーシングの成型時に前面をハニカム状の多数の通孔を成型して、これを防虫スクリーンとすることもできる。
【符号の説明】
【００３１】
１０…屋根用換気ユニット
１１…本体
１１ａ…上面
１２…第１止水板
１３…防虫金網
２０…アッパケーシング
２１…底面
２２…第１換気口
２３…第２換気口
２４…第２止水板
３１…野地板
３３…通気口
３４…小屋裏
【図１】
2011001759.tif 000003
【図２】
2011001759.tif 000004
【図３】
2011001759.tif 000005
【図４】
2011001759.tif 000006